(57)【特許請求の範囲】
【請求項１】
プレキャストコンクリートの柱と、鉄骨造、鉄骨鉄筋コンクリート造、又は端部に鉄骨を有するプレキャストコンクリートの梁とを有する建築物を施工する施工方法において、
第１工区において前記柱及び前記梁を複数階施工した後に、前記第１工区に隣接する第２工区において前記柱及び前記梁を複数階施工する施工方法であり、
前記第１工区又は前記第２工区における前記複数階施工時には、建築物の下層階の前記柱及び前記梁を施工した後に、前記下層階のスラブを施工すること無く建築物の上層階の前記柱及び前記梁を施工する施工方法であって、
いずれかの前記柱又は前記梁を施工する際に、前記柱の外周面に設けられた柱側接続片と、前記梁の外周面に設けられた梁側接続片とを相互に接続する接続手段を設置する接続手段設置工程を含む、
施工方法。
【請求項２】
前記柱側接続片は柱側接続孔を備え、
前記梁側接続片は梁側接続孔を備え、
前記接続手段は、前記柱側接続片から前記梁側接続片に至るように配置されたサポートであって、一方の端部が前記柱側接続孔に固定され、他方の端部が前記梁側接続孔に固定されるサポートであり、
前記梁側接続片を、前記柱側接続片が設けられた前記柱と同層階の前記梁に設け、
前記接続手段を介して、同層階の前記柱と前記梁とを相互に接続する、
請求項１に記載の施工方法。
【請求項３】
前記梁側接続片は、前記梁を吊りあげる際に使用する吊りピースであり、前記梁側接続孔と、前記梁を吊りあげる際に使用する吊り上げ用孔との２つの孔を備える、
請求項１又は２に記載の施工方法。
【発明の詳細な説明】
【技術分野】
【０００１】
本発明は、施工方法に関する。
【背景技術】
【０００２】
従来、鉄骨造の建築物では、第１工区において柱及び梁を複数階施工した後に、第１工区に隣接する第２工区において柱及び梁を複数階施工する、いわゆる屏風建て工法（建て逃げ工法）が採用されている（例えば、特許文献１参照）。このような屏風建て工法によれば、中低層の平面的に広がりのある建築物の施工においては、１フロア毎に躯体を構築する作業を繰り返す積層構法と比べて工期を短縮することが可能であった。
【先行技術文献】
【特許文献】
【０００３】
【特許文献１】特開２０１１−０３２８３９号公報
【発明の概要】
【発明が解決しようとする課題】
【０００４】
ここで、上記のような鉄骨造の建築物だけでなく、プレキャストコンクリートの柱（以下、ＰＣａ柱）と、鉄骨造、鉄骨鉄筋コンクリート造、又は端部に鉄骨を有するプレキャストコンクリートの梁とを用いた建築物に対しても同様に上記の屏風建て工法を適用することが要望されていた。しかし、ＰＣａ柱は鉄骨柱よりも重量が大きく、また上下のＰＣａ柱の継手にはグラウト充填接続するための隙間が設けられているため、ＰＣａ柱を安定的に複数階積み上げることが困難であり、屏風建て工法を適用することが困難であった。そこで、プレキャストコンクリートの柱（以下、ＰＣａ柱）と、鉄骨鉄筋コンクリート造、又は端部に鉄骨を有するプレキャストコンクリートの梁とを用いた建築物において、ＰＣａ柱を安定的に複数階積み上げることができ、屏風建て工法を適用することが可能な施工方法が要望されていた。
【０００５】
本発明は、上記に鑑みてなされたものであって、プレキャストコンクリートの柱（以下、ＰＣａ柱）と、鉄骨造、鉄骨鉄筋コンクリート造、又は端部に鉄骨を有するプレキャストコンクリートの梁とを用いた建築物において、ＰＣａ柱を安定的に複数階積み上げることができ、屏風建て工法を適用することが可能な施工方法を提供することを目的とする。
【課題を解決するための手段】
【０００６】
上述した課題を解決し、目的を達成するために、請求項１に記載の施工方法は、プレキャストコンクリートの柱と、鉄骨造、鉄骨鉄筋コンクリート造、又は端部に鉄骨を有するプレキャストコンクリートの梁とを有する建築物を施工する施工方法において、第１工区において前記柱及び前記梁を複数階施工した後に、前記第１工区に隣接する第２工区において前記柱及び前記梁を複数階施工する施工方法であり、前記第１工区又は前記第２工区における前記複数階施工時には、建築物の下層階の前記柱及び前記梁を施工した後に、前記下層階のスラブを施工すること無く建築物の上層階の前記柱及び前記梁を施工する施工方法であって、いずれかの前記柱又は前記梁を施工する際に、前記柱の外周面に設けられた柱側接続片と、前記梁の外周面に設けられた梁側接続片とを相互に接続する接続手段を設置する接続手段設置工程を含む。
【０００７】
請求項２に記載の施工方法は、請求項１に記載の施工方法において、前記柱側接続片は柱側接続孔を備え、前記梁側接続片は梁側接続孔を備え、前記接続手段は、前記柱側接続片から前記梁側接続片に至るように配置されたサポートであって、一方の端部が前記柱側接続孔に固定され、他方の端部が前記梁側接続孔に固定されるサポートであり、前記梁側接続片を、前記柱側接続片が設けられた前記柱と同層階の前記梁に設け、前記接続手段を介して、同層階の前記柱と前記梁とを相互に接続する。
【０００８】
請求項３に記載の施工方法は、請求項１又は２に記載の施工方法において、前記梁側接続片は、前記梁を吊りあげる際に使用する吊りピースであり、前記梁側接続孔と、前記梁を吊りあげる際に使用する吊り上げ用孔との２つの孔を備える。
【発明の効果】
【０００９】
請求項１に記載の施工方法によれば、柱の外周面に設けられた柱側接続片と、梁の外周面に設けられた梁側接続片とを相互に接続する接続手段を設置する接続手段設置工程を含むので、接続手段によりＰＣａ柱を安定的に複数階積み上げることができ、屏風建て工法を適用することが可能となる。
【００１０】
請求項２に記載の施工方法によれば、柱側接続片から梁側接続片に至るように配置されたサポートであって、一方の端部が柱側接続孔に固定され、他方の端部が梁側接続孔に固定されるサポートを備えるので、既存の部材を用いた極めて簡素な構成により屏風建て工法を適用することができ、施工に要する手間や費用を削減することが可能となる。
【００１１】
請求項３に記載の施工方法によれば、梁側接続片は、梁を吊りあげる際に使用する吊りピースであるので、既存の部材を流用して梁側接続片を構築することができ、施工に要する手間や費用を削減することが可能となる。
【図面の簡単な説明】
【００１２】
【図１】本発明の実施の形態に係る建築物を示す平面図である。
【図２】図１のＰ−Ｐ矢視断面図である。
【図３】図２のＡ部の拡大図である。
【図４】図３のＢ部の拡大図であって、図４（ａ）はサポート設置前、図４（ｂ）はサポート設置後を示す図である。
【図５】図３のＣ部の拡大図であって、図５（ａ）はサポート設置前、図５（ｂ）はサポート設置後を示す図である。
【図６】施工方法の手順１を示す図１のＰ−Ｐ矢視断面に対応する断面図である。
【図７】施工方法の手順２を示す図１のＰ−Ｐ矢視断面に対応する断面図である。
【図８】施工方法の手順３を示す図１のＰ−Ｐ矢視断面に対応する断面図である。
【図９】三階梁施工工程後の建築物の平面図である。
【発明を実施するための形態】
【００１３】
以下、本発明に係る施工方法の実施の形態について図面を参照しつつ詳細に説明する。ただし、この実施の形態によって本発明が限定されるものではない。
【００１４】
［実施の形態の基本的概念］
まずは、実施の形態の基本的概念について説明する。実施の形態は、概略的に、プレキャストコンクリートの柱（ＰＣａ柱）と、鉄骨造、鉄骨鉄筋コンクリート造、又は端部に鉄骨を有するプレキャストコンクリートの梁とを有する建築物を施工する施工方法に関する。なお、梁は上記のいずれの梁であっても構わないが、本実施の形態では鉄骨の梁を適用する施工方法を例示して説明する。
【００１５】
ここで、本実施の形態においては、第１工区において柱及び梁を複数階施工した後に、第１工区に隣接する第２工区において柱及び梁を複数階施工する施工方法であり、第１工区又は第２工区における複数階施工時には、建築物の下層階の柱及び梁を施工した後に、下層階のスラブを施工すること無く建築物の上層階の柱及び梁を施工する施工方法（いわゆる屏風建て工法、又は建て逃げ工法）を適用する。このような屏風建て工法を鉄骨の柱と鉄骨の梁を有する建築物に適用すること自体は公知であり、本実施の形態においては公知の部分については適宜説明を省略する。なお、建築物の大きさ、用途、及び形状については任意である。また、建築物の階数は、屏風建て工法が適用可能な階数である限り任意であり、本実施の形態においては説明の便宜上、一階（下層階）と二階（上層階）とから成る二階建ての建築物であるものとする。
【００１６】
［実施の形態の具体的内容］
次に、実施の形態の具体的内容について説明する。
【００１７】
（構成）
初めに、本実施の形態に係る施工方法にて施工された建築物１の構成について説明する。図１は、本実施の形態に係る建築物１を示す平面図、図２は、図１のＰ−Ｐ矢視断面図、図３は、図２のＡ部の拡大図である。これら図１から図３に示すように、本実施の形態に係る建築物１は、柱１０、梁２０、及びサポート３０を備えて構成されている。なお、以下の説明では、各図のＸ−Ｘ´方向を幅方向（Ｘ方向を右方、Ｘ´方向を左方）、Ｙ−Ｙ´方向を奥行き方向（Ｙ方向を前方、Ｙ´方向を後方）、Ｚ−Ｚ´方向を高さ方向（Ｚ方向を上方、Ｚ´方向を下方）、と称する。
【００１８】
ここで、この建築物１には、概念的に、第１工区Ｅ１、及び第２工区Ｅ２が設けられている。「第１工区」Ｅ１とは、各工区のうち初めに施工される工区であって、具体的な位置については任意であるが、本実施の形態では建築物１における後方の端部に位置する工区であるものとして説明する。具体的には、図１において一点鎖線で囲われた工区であって、当該第１工区Ｅ１において施工された柱１０、梁２０、及びサポート３０の符号の語尾には「ａ」を付している。なお、図２は、第１工区Ｅ１のみを図示した断面図である。なお、第１工区の具体的な領域は任意であるが、本実施の形態では、図示の簡略化のために、２行３列に配置された複数の柱１０を含む領域であるものとして説明する。
【００１９】
また、「第２工区」Ｅ２とは、第１工区Ｅ１に隣接する工区であって、第１工区Ｅ１の次に施工される工区であり、具体的な位置については任意であるが、本実施の形態では第１工区Ｅ１の前方に位置する工区であるものとして説明する。具体的には、図１において二点鎖線で囲われた工区であって、当該第２工区Ｅ２において施工された柱１０、梁２０、及びサポート３０の符号の語尾には「ｂ」を付している。なお、第２工区の具体的な領域は任意であるが、本実施の形態では、図示の簡略化のために、１行３列に配置された複数の柱１０を含む領域であるものとして説明する。
【００２０】
なお、本実施の形態では、施工途中の建築物１の一部のみを図示しており、実際には、これらの各工区以外の工区にも同様に柱１０や梁２０を屏風建て工法で施工することができる。なお、第１工区Ｅ１から第２工区Ｅ２へと工区を広げていく限りにおいて第２工区Ｅ２の位置は任意で、例えば本実施の形態のように第１工区Ｅ１の前方の位置に限らず、後方や右方や左方の位置であっても構わない。
【００２１】
（構成−柱）
柱１０は、第１工区Ｅ１及び第２工区Ｅ２に施工されるプレキャストコンクリートの柱である。具体的には、本実施の形態において、柱１０は、一階柱１１ａ、１１ｂ、及び二階柱１２ａ、１２ｂを備えており、このうち一階柱１１ａ及び二階柱１２ａは第１工区Ｅ１に属する柱１０であり、一階柱１１ｂ及び二階柱１２ｂは第２工区Ｅ２に属する柱１０である。なお、図２においては、第１工区Ｅ１の一階柱１１ａ及び二階柱１２ａのみを図示している。また、各柱１０はそれぞれ隣接する他の柱１０に対して梁２０で接続されている。ここで、各柱１０の上端部からは上方に向けて主筋が突出し、下端部には主筋を挿通可能な鉛直方向に沿った孔が形成されており、一の柱（例えば、一階柱１１ａ）の上端部から上方に向けて突出した主筋を、他の柱（例えば、二階柱１２ａ）の下端部の孔に挿通した状態で、継手にグラウト充填されて接続されている。なお、一階柱１１ｂと二階柱１２ｂに関しても同様の方法で接続されている。
【００２２】
ここで、柱１０の外周面（本実施の形態においては、柱１０の側面）には、柱側接続片４０が取り付けられている。図４は、図３のＢ部の拡大図であって、図４（ａ）はサポート３０設置前、図４（ｂ）はサポート３０設置後を示す図である。この柱側接続片４０は、柱１０に対してサポート３０を接続するためのサポート接続手段である。具体的には、図４に示すように柱側接続片４０は、柱１０におけるサポート３０の端部に対応する位置に設けられており、アンカー４４で柱１０に打ち込まれて取り付けられている。
【００２３】
この柱側接続片４０の形状は、サポート３０の端部を接続可能である限り任意であるが、本実施の形態においては、当接部４１と突出部４２とを備えて構成されている。ここで、当接部４１は、柱１０の外周面に沿って当接するように配置される長板形状体である。また、突出部４２は、長板形状部から外側に向けて突出するように配置される半円形の板状体である。ここで、突出部４２は、柱側接続孔４３を備えている。この柱側接続孔４３は、サポート３０の端部を固定するための孔であって、サポート３０の端部から当該柱側接続孔４３を介するようにボルト４５を挿通することにより、サポート３０を柱側接続片４０に固定することができる。
【００２４】
なお、当該柱１０と梁２０の仕口部の構造は任意であり、本実施の形態では、図３に示すように、柱１０の外周面から外側に向けてＨ型鋼が突出するように設けられており、このＨ型鋼と梁２０の端面が公知の方法で溶接されて接合されている。
【００２５】
（構成−梁）
図１から図３に戻り、梁２０は、柱１０の相互間に配置される鉄骨造の梁である。具体的には、本実施の形態において、梁２０は、一階梁２１ａ、２１ｂ、二階梁２２ａ、２２ｂ、及び三階梁２３ａ、２３ｂを備えており、このうち一階梁２１ａ、二階梁２２ａ、及び三階梁２３ａは第１工区Ｅ１に属する梁２０であり、一階梁２１ｂ、二階梁２２ｂ、及び三階梁２３ｂは第２工区Ｅ２に属する梁２０である。なお、図２においては、第１工区Ｅ１の一階梁２１ａ、二階梁２２ａ、及び三階梁２３ａのみを図示している。
【００２６】
ここで、梁２０の外周面（本実施の形態においては、梁２０の上フランジの上面）には、梁側接続片５０が形成されている。図５は、図３のＣ部の拡大図であって、図５（ａ）はサポート３０設置前、図５（ｂ）はサポート３０設置後を示す図である。この梁側接続片５０は、梁２０に対してサポート３０を接続するためのサポート接続手段である。具体的には、この梁側接続片５０は、各梁２０における上フランジの上面に対して、各梁２０の長手方向に沿って２つ形成された吊りピースであって、梁２０を重機等で吊り上げる際に用いられる公知のピースである。この梁側接続片５０の形状は任意であるが、本実施の形態では、梁２０の上フランジの上面から上方に向かって突出するように上フランジに対して溶接された、半円形の板状体として形成されている。
【００２７】
この梁側接続片５０には、吊り上げ用孔５１と、梁側接続孔５２とが備えられている。吊り上げ用孔５１は、梁２０を重機等で吊り上げる際に用いる孔であり、この吊り上げ用孔５１に治具を挿通してワイヤー等で当該梁２０を吊り上げることができる。また、梁側接続孔５２は、サポート３０の端部を固定するための孔であって、サポート３０の端部から当該梁側接続孔５２を介するようにボルト５３を挿通することにより、サポート３０を梁側接続片５０に固定することができる。このように、サポート３０を接続するための梁側接続片５０として、既存の梁２０に形成されている吊りピースを流用することにより、新たに部材を製造したり取り付けたりする手間やコストを低減することができる。
【００２８】
（構成−サポート）
図１から図３に戻り、サポート３０は、第１工区Ｅ１又は第２工区Ｅ２において、いずれかの柱１０又は梁２０を施工する際に、柱１０の外周面に設けられた柱側接続片４０と、梁２０の外周面に設けられた梁側接続片５０とを相互に接続する接続手段である。具体的には、本実施の形態において、サポート３０は、一階サポート３１ａ、３１ｂ、及び二階サポート３２ａ、３２ｂを備えており、このうち一階サポート３１ａ及び二階サポート３２ａは第１工区Ｅ１に属するサポート３０であり、一階サポート３１ｂ及び二階サポート３２ｂは第２工区Ｅ２に属するサポート３０である。なお、図２においては、第１工区Ｅ１の一階サポート３１ａ、及び二階サポート３２ａのみを図示している。このサポート３０は、具体的には、柱側接続片４０から梁側接続片５０に至るように斜めに架け渡されて配置された金属製の長尺部材であって、柱１０及び梁２０の建方精度調整に用いられるインクサポートである。
【００２９】
（施工方法）
次に、上記のように構成された建築物１の施工方法について説明する。この施工方法は、概略的に、ＰＣａ柱と、鉄骨造の梁２０とを有する建築物１を施工する施工方法において、第１工区Ｅ１において柱１０及び梁２０を複数階施工した後に、第１工区Ｅ１に隣接する第２工区Ｅ２において柱１０及び梁２０を複数階施工する施工方法であり、第１工区Ｅ１又は第２工区Ｅ２における複数階施工時には、建築物１の下層階の柱１０及び梁２０を施工した後に、下層階のスラブを施工すること無く建築物１の上層階の柱１０及び梁２０を施工する施工方法に関する。なお、「複数階」とは、少なくとも複数の階であれば足り、必ずしも最上階まで施工することを要さないが、本実施の形態においては二階分の躯体（三階梁も含む）であるものとして説明する。
【００３０】
図６は、施工方法の手順１を示す図１のＰ−Ｐ矢視断面に対応する断面図である。この手順１に示すように、まずは、第１工区Ｅ１において、一階梁施工工程、及び一階柱施工工程を行う。ここで、一階梁施工工程は、一階梁２１ａを施工する工程である。このように一階梁２１ａを施工する方法は公知であり、例えば、現場打ちコンクリートで地中にフーチング及び柱脚部を形成し、各柱脚部の相互間に一階梁２１ａを配置し、これらの端部を柱脚部に設けられたＨ型鋼に溶接することにより施工することが可能である。
【００３１】
一階柱施工工程は、一階柱１１ａを施工する工程である。このように一階柱１１ａを施工する方法は公知であり、例えば、フーチングの上端部から上方に向けて突出させた主筋に一階柱１１ａを積み上げていくことにより、一階柱１１ａを施工することができる。なお、フーチングをＰＣａで形成しても構わない。
【００３２】
図７は、施工方法の手順２を示す図１のＰ−Ｐ矢視断面に対応する断面図である。この手順２に示すように、続いて、第１工区Ｅ１において、一階サポート施工工程を行う。ここで、一階サポート施工工程は、一階柱１１ａと一階梁２１ａとを相互に接続する一階サポート３１ａを施工する工程である。具体的には、まず、柱側接続片４０の当接部４１から一階柱１１ａに至るようにアンカー４４を打ち込むことにより、一階柱１１ａの外周面に対して、柱側接続片４０を取り付ける。次に、一階柱１１ａから一階梁２１ａに至るように一階サポート３１ａを配置し、一階サポート３１ａの一方の端部を一階柱１１ａに取り付けられた柱側接続片４０の柱側接続孔４３に固定し、一階サポート３１ａの他方の端部を一階梁２１ａの上面に形成された梁側接続片５０の梁側接続孔５２に固定する。この固定方法は任意で、例えば一階サポート３１ａの端部に形成された孔から、柱側接続孔４３又は梁側接続孔５２に至るようにボルト４５、５３を挿通して締結することにより固定することができる。
【００３３】
図８は、施工方法の手順３を示す図１のＰ−Ｐ矢視断面に対応する断面図である。この手順３に示すように、続いて、第１工区Ｅ１において、二階梁施工工程、二階柱施工工程、及び二階サポート施工工程を行う。
【００３４】
ここで、二階梁施工工程は、二階梁２２ａを施工する工程であって、上述した一階梁施工工程と同様に実施できる。また、二階サポート施工工程は、二階柱１２ａと二階梁２２ａとを相互に接続する二階サポート３２ａを施工する工程であって、上述した一階サポート施工工程と同様に実施できる。また、二階柱施工工程は、二階柱１２ａを施工する工程である。このように二階柱１２ａを施工する方法は公知であり、例えば一階柱１１ａの上端部から上方に向けて突出した主筋を内部に挿通するように、一階柱１１ａの上方に二階柱１２ａを積み上げていくことにより、二階柱１２ａを施工することができる。
【００３５】
このように、本実施の形態のように一階柱１１ａと一階梁２１ａとを相互に接続する一階サポート３１ａを設けて一階柱１１ａを支持することにより、建築物１の下層階（一階）の一階柱１１ａ及び一階梁２１ａを施工した後に、一階のスラブを施工することなく、建築物１の上層階（二階）の二階柱１２ａ及び二階梁２２ａを施工することが可能となる。
【００３６】
次に、三階梁施工工程を実施して、図２に示す第１工区Ｅ１の構造を完成させる。図９は、三階梁施工工程後の建築物１の平面図である。この段階では、図示のように建築物１における第１工区Ｅ１のみが完成しており、第２工区Ｅ２は施工されていない。この三階梁施工工程は、三階梁２３ａを施工する工程であって、上述した一階梁施工工程及び二階梁施工工程と同様に実施することができる。
【００３７】
次に、建方精度調整を行う。この建方精度調整工程は、建築物１の建方精度を調整する工程であって、この調整の具体的な方法は任意であり、例えばサポート３０の締結強度の調整等を行うことにより、建築物１を構成する柱１０や梁２０等の位置や傾きを調整することができる。なお、このような建方精度調整は任意のタイミングで行うことができ、例えば上記に説明した各工程のいずれか、又は各工程の相互間において行うことが可能である。
【００３８】
次に、グラウト充填工程を行う。このグラウト充填工程は、建方精度調整により建方精度が確立した状態で図３に示す各柱１０の継手にグラウト充填することにより、柱１０同士を相互に接続する工程である。このグラウト充填の具体的な手順については公知であり、例えば柱１０の主筋の継手部に形成された円筒形のスリーブ（図示省略）にグラウトを流し込んで充填する公知の方法を適用することができる。
【００３９】
これにて第１工区Ｅ１の柱１０、梁２０、及びサポート３０の施工が完了する。同様の工程を第１工区Ｅ１の前方に位置する第２工区Ｅ２にて実施することにより、第１工区Ｅ１の前方に第２工区Ｅ２を施工することができる。具体的には、第２工区Ｅ２の柱１０を規定の位置に施工し、当該第２工区Ｅ２の柱１０と第１工区Ｅ１の柱１０とを第２工区Ｅ２の梁２０で接続し、各柱１０と梁２０とをサポート３０で接続し、以降同様の施工を繰り返して第２工区Ｅ２を完成させていく。このようにして第１工区Ｅ１及び第２工区Ｅ２の施工が完了したら、同様の手順を、他の工区（例えば第２工区Ｅ２のさらに前方の工区（図示省略））にて繰り返し実施することにより、柱１０、梁２０、及びサポート３０を施工していくことができ、建築物１を屏風建て工法で施工していくことができる。
【００４０】
そして、任意のタイミング（例えば複数の工区において柱１０、梁２０、及びサポート３０の施工が完了したタイミング）において、柱１０及び梁２０によって支持されるスラブを構築する。なお、本実施の形態では、建方精度調整及びグラウト充填工程を工区毎に行ったが、これに限らず、複数の工区にて柱１０、梁２０、及びサポート３０を施工した後に、複数の工区でまとめてこれらの建方精度調整及びグラウト充填工程を行っても構わないし、上記の各階のスラブを構築する際に合わせてグラウト充填工程を行っても構わない。
【００４１】
また、本実施の形態に示す方法以外で屏風建て工法を適用する方法として、上下の柱１０の外表面に架け渡すようにアンカーで取り付けられる公知の柱建入れ調整器具を用いて、ＰＣａ柱を接続しながら積み上げる方法も考えられる。しかし、ＰＣａ柱は鉄骨柱よりも重量が大きいため、このような方法ではより多くの柱建入れ調整器具が必要となり、柱建入れ調整器具の取り付けの手間や費用が増大してしまう可能性があった。本実施の形態ではこのような方法と比べて、サポート３０を用いた極めて簡素な構成により屏風建てを行うことができ、施工に要する手間や費用を削減することが可能となる。また、上記の方法では、下方の柱の外周面から上方の柱に至るように柱建入れ調整器具を設置するので、柱の継手が柱建入れ調整器具と干渉してしまうこととなり、柱の継手にグラウト充填する際に障害となってしまう可能性があった。しかし、本実施の形態に係る施工方法では、柱１０の外周面から梁２０の外周面に至るようにサポート３０を設置するので、柱１０の継手が柱建入れ調整器具と干渉してしまうことはなく、継手に対して容易にグラウト充填することが可能となる。以上にて、本実施の形態に係る建築物１の施工方法に関する説明を終了する。
【００４２】
（実施の形態の効果）
このように、本実施の形態の施工方法によれば、柱１０の外周面に設けられた柱側接続片４０と、梁２０の外周面に設けられた梁側接続片５０とを相互に接続する接続手段を設置する接続手段設置工程を含むので、接続手段によりＰＣａ柱を安定的に複数階積み上げることができ、屏風建て工法を適用することが可能となる。
【００４３】
また、柱側接続片４０から梁側接続片５０に至るように配置されたサポート３０であって、一方の端部が柱側接続孔４３に固定され、他方の端部が梁側接続孔５２に固定されるサポート３０を備えるので、既存の部材を用いた極めて簡素な構成により屏風建て工法を適用することができ、施工に要する手間や費用を削減することが可能となる。
【００４４】
また、梁側接続片５０は、梁２０を吊りあげる際に使用する吊りピースであるので、既存の部材を流用して梁側接続片５０を構築することができ、施工に要する手間や費用を削減することが可能となる。
【００４５】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００４６】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、本実施の形態に係る施工方法によって、ＰＣａ柱を安定的に複数階積み上げることができない場合であっても、従来と異なる技術により建築物１の施工ができている場合には、本願発明の課題が解決されている。
【００４７】
（寸法や材料について）
発明の詳細な説明や図面で説明した建築物１の各部の寸法、形状、材料、比率等は、あくまで例示であり、その他の任意の寸法、形状、材料、比率等とすることができる。
【００４８】
（梁側接続片について）
本実施の形態では、梁側接続片５０として、梁２０を重機などで吊り上げるために用いる吊りピースを流用するものとして説明したが、これに限らず、吊りピース以外の梁側接続片５０を新たに梁２０に対して溶接等して取り付けても良い。また、本実施の形態では、一つの梁２０に２つの梁側接続片５０を形成したが、これに限らず、単一の梁側接続片５０を形成して、この梁側接続片５０に対して複数のサポート３０を取り付けても構わない。
【００４９】
また、本実施の形態では、吊り上げ用孔５１とは別に梁側接続孔５２を形成したが、これに限らず、吊り上げ用孔５１と梁側接続孔５２を兼用しても構わない。この場合には、梁側接続孔５２として新たに孔を形成する手間や費用を削減することが可能となる。
【００５０】
（付記）
付記１の施工方法は、プレキャストコンクリートの柱と、鉄骨造、鉄骨鉄筋コンクリート造、又は端部に鉄骨を有するプレキャストコンクリートの梁とを有する建築物を施工する施工方法において、第１工区において前記柱及び前記梁を複数階施工した後に、前記第１工区に隣接する第２工区において前記柱及び前記梁を複数階施工する施工方法であり、前記第１工区又は前記第２工区における前記複数階施工時には、建築物の下層階の前記柱及び前記梁を施工した後に、前記下層階のスラブを施工すること無く建築物の上層階の前記柱及び前記梁を施工する施工方法であって、いずれかの前記柱又は前記梁を施工する際に、前記柱の外周面に設けられた柱側接続片と、前記梁の外周面に設けられた梁側接続片とを相互に接続する接続手段を設置する接続手段設置工程を含む。
【００５１】
付記２の施工方法は、付記１に記載の施工方法において、前記柱側接続片は柱側接続孔を備え、前記梁側接続片は梁側接続孔を備え、前記接続手段は、前記柱側接続片から前記梁側接続片に至るように配置されたサポートであって、一方の端部が前記柱側接続孔に固定され、他方の端部が前記梁側接続孔に固定されるサポートである。
【００５２】
付記３の施工方法は、付記１又は２に記載の施工方法において、前記梁側接続片は、前記梁を吊りあげる際に使用する吊りピースである。
【００５３】
（付記の効果）
付記１に記載の施工方法によれば、柱の外周面に設けられた柱側接続片と、梁の外周面に設けられた梁側接続片とを相互に接続する接続手段を設置する接続手段設置工程を含むので、接続手段によりＰＣａ柱を安定的に複数階積み上げることができ、屏風建て工法を適用することが可能となる。
【００５４】
付記２に記載の施工方法によれば、柱側接続片から梁側接続片に至るように配置されたサポートであって、一方の端部が柱側接続孔に固定され、他方の端部が梁側接続孔に固定されるサポートを備えるので、既存の部材を用いた極めて簡素な構成により屏風建て工法を適用することができ、施工に要する手間や費用を削減することが可能となる。
【００５５】
付記３に記載の施工方法によれば、梁側接続片は、梁を吊りあげる際に使用する吊りピースであるので、既存の部材を流用して梁側接続片を構築することができ、施工に要する手間や費用を削減することが可能となる。
【符号の説明】
【００５６】
１  建築物
１０  柱
１１ａ、１１ｂ  一階柱
１２ａ、１２ｂ  二階柱
２０  梁
２１ａ、２１ｂ  一階梁
２２ａ、２２ｂ  二階梁
２３ａ、２３ｂ  三階梁
３０  サポート
３１ａ、３１ｂ  一階サポート
３２ａ、３２ｂ  二階サポート
４０  柱側接続片
４１  当接部
４２  突出部
４３  柱側接続孔
４４  アンカー
４５  ボルト
５０  梁側接続片
５１  吊り上げ用孔
５２  梁側接続孔
５３  ボルト
Ｅ１  第１工区
Ｅ２  第２工区
【図１】
0006685720.tif 000002
【図２】
0006685720.tif 000003
【図３】
0006685720.tif 000004
【図４】
0006685720.tif 000005
【図５】
0006685720.tif 000006
【図６】
0006685720.tif 000007
【図７】
0006685720.tif 000008
【図８】
0006685720.tif 000009
【図９】
0006685720.tif 000010